(57)【要約】【課題】ランプカバーのがたつきを抑制することができる照明器具を提供する。【解決手段】それぞれ直管型のランプＬの一方ずつの口金Ｌ１が接続される少なくとも一対のソケット７と、各ソケット７をそれぞれ下側に保持して天井面から吊下げ支持される器具本体２と、各ソケット７にそれぞれ取り付けられたランプＬを下方から見て覆うランプカバー３と、ソケット７に接続されたランプＬの管軸方向の両側にそれぞれ設けられ該ランプＬの管軸方向の外側から見てソケット７を覆うエンドキャップ４とを備える。エンドキャップ４は、器具本体２とランプカバー３との間に介在しており、器具本体２に対して上方へのランプカバー３の変位を制限している。これにより、ランプカバー３のがたつきが抑制されている。【選択図】図１
2008269993.tif 000002
【特許請求の範囲】
【請求項１】
それぞれ直管型のランプの一方ずつの口金が接続される少なくとも一対のソケットと、
各ソケットをそれぞれ下側に保持して天井面から吊下げ支持される器具本体と、
各ソケットにそれぞれ取り付けられたランプを下方から見て覆うランプカバーと、
ソケットに接続されたランプの管軸方向の両側にそれぞれ設けられ該ランプの管軸方向の外側から見てソケットを覆うエンドキャップとを備え、
エンドキャップは、器具本体に対するランプカバーの可動範囲を制限することを特徴とする照明器具。
【請求項２】
ランプカバーには水平方向において互いに対向する一対の被支持部が上方へ突設されるとともに、各被支持部にはそれぞれ被支持穴が貫設されていて、
器具本体には、被支持部の対向する方向の内側から被支持穴に挿入されて被支持部を支持するカバー支持凸部が被支持部毎に設けられるとともに、各カバー支持凸部にはそれぞれ先部から少なくとも上方に突出した抜け止め部が設けられ、
エンドキャップが取り付けられていない状態では、ランプカバーは、抜け止め部間に各被支持部がそれぞれ挟まれることで被支持穴からカバー支持凸部を抜くような変位が禁止される支持位置と、支持位置から器具本体に対して上方に変位した位置であって抜け止め部を被支持穴に挿通可能な着脱位置との間で、器具本体に対して上下に変位可能であって、
エンドキャップは、器具本体とランプカバーとの間に介在し、ランプカバーの器具本体に対する変位であって支持位置から着脱位置への変位を禁止することを特徴とする請求項１記載の照明器具。
【請求項３】
エンドキャップは、着脱位置にあるランプカバーと器具本体との間には挿入不可能な寸法形状であることを特徴とする請求項２記載の照明器具。
【請求項４】
器具本体には、エンドキャップを支持するキャップ支持部と、垂直方向に弾性的に突出するキャップ係止凸部とが設けられ、
エンドキャップには、水平方向から器具本体のキャップ支持部の上側に導入されることにより器具本体のキャップ支持部に支持される被支持部と、被支持部がキャップ支持部に支持される状態でキャップ係止凸部が係入する係止穴と、係止穴に器具本体のキャップ係止凸部が係入した状態ではランプカバーの被支持穴に器具本体のカバー支持凸部が導入される位置へのランプカバーの被支持部の変位を阻止する阻止部とが設けられていることを特徴とする請求項３記載の照明器具。
【請求項５】
器具本体には、エンドキャップを支持するキャップ支持部と、垂直方向に弾性的に突出するキャップ係止凸部とが設けられ、
エンドキャップには、水平方向から器具本体のキャップ支持部の上側に導入されることにより器具本体のキャップ支持部に支持される被支持部と、被支持部がキャップ支持部に支持される状態でキャップ係止凸部が係入する係止穴と、係止穴に器具本体のキャップ係止凸部が係入する状態では下方から見てランプカバーに覆われ且つ係止穴に器具本体のキャップ係止凸部が係入していない状態では下方から見てランプカバーから突出する表示部とが設けられていることを特徴とする請求項２記載の照明器具。
【発明の詳細な説明】
【技術分野】
【０００１】
本発明は、吊下げ型の照明器具に関するものである。
【背景技術】
【０００２】
従来から、直管型の蛍光灯などのランプを用いる照明器具であって、ランプの口金が接続されるソケットを保持して天井面等の施工面に固定される器具本体と、施工面に直交する方向から見てランプを覆うランプカバーと、エンドキャップとを備えるものが提供されている（例えば、特許文献１及び特許文献２参照）。
【０００３】
従来は、ランプカバーは、エンドキャップを介して器具本体に支持されていた。
【特許文献１】特開２００５−１８３２３３号公報
【特許文献２】特開２００４−１１１２８１号公報
【発明の開示】
【発明が解決しようとする課題】
【０００４】
しかし、上記従来構成では、エンドキャップと器具本体との連結部と、ランプカバーとエンドキャップとの連結部とでそれぞれがたつきが発生し、これらの合成により器具本体に対するランプカバーのがたつきが大きくなる可能性があった。
【０００５】
本発明は、上記事由に鑑みて為されたものであり、その目的は、ランプカバーのがたつきを抑制することができる照明器具を提供することにある。
【課題を解決するための手段】
【０００６】
請求項１の発明は、それぞれ直管型のランプの一方ずつの口金が接続される少なくとも一対のソケットと、各ソケットをそれぞれ下側に保持して天井面から吊下げ支持される器具本体と、各ソケットにそれぞれ取り付けられたランプを下方から見て覆うランプカバーと、ソケットに接続されたランプの管軸方向の両側にそれぞれ設けられ該ランプの管軸方向の外側から見てソケットを覆うエンドキャップとを備え、エンドキャップは、器具本体に対するランプカバーの可動範囲を制限することを特徴とする。
【０００７】
この発明によれば、ランプの管軸方向の外側から見てエンドキャップがソケットを覆うことにより見栄えが改善される。また、器具本体に対するランプカバーのがたつきを、エンドキャップによって抑制することができる。
【０００８】
請求項２の発明は、請求項１の発明において、ランプカバーには水平方向において互いに対向する一対の被支持部が上方へ突設されるとともに、各被支持部にはそれぞれ被支持穴が貫設されていて、器具本体には、被支持部の対向する方向の内側から被支持穴に挿入されて被支持部を支持するカバー支持凸部が被支持部毎に設けられるとともに、各カバー支持凸部にはそれぞれ先部から少なくとも上方に突出した抜け止め部が設けられ、エンドキャップが取り付けられていない状態では、ランプカバーは、抜け止め部間に各被支持部がそれぞれ挟まれることで被支持穴からカバー支持凸部を抜くような変位が禁止される支持位置と、支持位置から器具本体に対して上方に変位した位置であって抜け止め部を被支持穴に挿通可能な着脱位置との間で、器具本体に対して上下に変位可能であって、エンドキャップは、器具本体とランプカバーとの間に介在し、ランプカバーの器具本体に対する変位であって支持位置から着脱位置への変位を禁止することを特徴とする。
【０００９】
この発明によれば、エンドキャップが装着されている限りにおいて、カバー支持凸部が被支持穴から抜けることがないから、器具本体からのランプカバーの脱落が防止される。
【００１０】
請求項３の発明は、請求項２の発明において、エンドキャップは、着脱位置にあるランプカバーと器具本体との間には挿入不可能な寸法形状であることを特徴とする。
【００１１】
この発明によれば、エンドキャップを取り付けようとしたときにランプカバーが着脱位置であればエンドキャップを取り付けることができないから、作業者はランプカバーが着脱位置にあることに気付くことができる。
【００１２】
請求項４の発明は、請求項３の発明において、器具本体には、エンドキャップを支持するキャップ支持部と、垂直方向に弾性的に突出するキャップ係止凸部とが設けられ、エンドキャップには、水平方向から器具本体のキャップ支持部の上側に導入されることにより器具本体のキャップ支持部に支持される被支持部と、被支持部がキャップ支持部に支持される状態でキャップ係止凸部が係入する係止穴と、係止穴に器具本体のキャップ係止凸部が係入した状態ではランプカバーの被支持穴に器具本体のカバー支持凸部が導入される位置へのランプカバーの被支持部の変位を阻止する阻止部とが設けられていることを特徴とする。
【００１３】
この発明によれば、エンドキャップを器具本体に取り付けた後では阻止部のためにランプカバーを器具本体に取り付けることができないことにより、必ずランプカバーがエンドキャップよりも先に器具本体に取り付けられることになるから、請求項３の効果を確実に得ることができる。
【００１４】
請求項５の発明は、請求項２の発明において、器具本体には、エンドキャップを支持するキャップ支持部と、垂直方向に弾性的に突出するキャップ係止凸部とが設けられ、エンドキャップには、水平方向から器具本体のキャップ支持部の上側に導入されることにより器具本体のキャップ支持部に支持される被支持部と、被支持部がキャップ支持部に支持される状態でキャップ係止凸部が係入する係止穴と、係止穴に器具本体のキャップ係止凸部が係入する状態では下方から見てランプカバーに覆われ且つ係止穴に器具本体のキャップ係止凸部が係入していない状態では下方から見てランプカバーから突出する表示部とが設けられていることを特徴とする。
【００１５】
この発明によれば、作業者が、エンドキャップの表示部のランプカバーからの突出を下方から見て、エンドキャップの取付が不完全であることを知ることができる。
【発明の効果】
【００１６】
請求項１の発明によれば、ソケットに接続されたランプの管軸方向の両側にそれぞれ設けられ該ランプの管軸方向の外側から見てソケットを覆うエンドキャップにより、器具本体に対するランプカバーの可動範囲が制限されるので、器具本体に対するランプカバーのがたつきが抑制される。また、ランプの管軸方向の外側から見てエンドキャップがソケットを覆うことにより見栄えが改善される。
【００１７】
請求項２の発明は、エンドキャップが、器具本体とランプカバーとの間に介在し、ランプカバーの器具本体に対する変位であって、カバー支持凸部を被支持穴から抜くことができない支持位置から、カバー支持凸部を被支持穴から抜くことができる着脱位置への変位を禁止するので、エンドキャップが装着されている限りにおいて、カバー支持凸部が被支持穴から抜けることがないから、器具本体からのランプカバーの脱落が防止される。
【００１８】
請求項３の発明は、エンドキャップは、着脱位置にあるランプカバーと器具本体との間には挿入不可能な寸法形状であるので、エンドキャップを取り付けようとしたときにランプカバーが着脱位置であればエンドキャップを取り付けることができないから、作業者はランプカバーが着脱位置にあることに気付くことができる。
【００１９】
請求項４の発明は、係止穴に器具本体のキャップ係止凸部が係入した状態ではランプカバーの被支持穴に器具本体のカバー支持凸部が導入される位置へのランプカバーの被支持部の変位を阻止する阻止部とが設けられているので、エンドキャップを器具本体に取り付けた後では阻止部のためにランプカバーを器具本体に取り付けることができないことにより、必ずランプカバーがエンドキャップよりも先に器具本体に取り付けられることになるから、請求項３の効果を確実に得ることができる。
【００２０】
請求項５の発明は、係止穴に器具本体のキャップ係止凸部が係入する状態では下方から見てランプカバーに覆われ且つ係止穴に器具本体のキャップ係止凸部が係入していない状態では下方から見てランプカバーから突出する表示部とが設けられているので、作業者が、エンドキャップの表示部のランプカバーからの突出を下方から見て、エンドキャップの取付が不完全であることを知ることができる。
【発明を実施するための最良の形態】
【００２１】
以下、本発明を実施するための最良の形態について、図面を参照しながら説明する。
【００２２】
図２に示すように、本実施形態の照明器具１は、直管型のランプＬの一方ずつの口金Ｌ１が接続される一対のソケット７と、各ソケット７をそれぞれ下側に保持して天井面から吊下げ支持される器具本体２と、各口金Ｌ１がそれぞれソケット７に接続されたランプＬを下方から見て覆う形で器具本体２に対して吊下げ支持されるランプカバー３と、ランプＬの長手方向の外側から見て該ソケットを覆うエンドキャップ４とを備える。器具本体２は、下方から見て長方形状であり、ランプＬは管軸方向を器具本体２の長手方向に向けて取り付けられる。以下、上下方向は図２を基準とし、図２の左下−右上方向（器具本体２の長手方向であり、ランプＬの管軸方向）を左右方向と呼び、図２の左上−右下方向（器具本体２の短手方向）を前後方向と呼ぶ。
【００２３】
照明器具１は、天井ＣＢに固定される取付装置９に取り付けられる。取付装置９は、上面が開口した左右に長い直方体形状であって照明器具１を支持する支持体９０と、天井ＣＢに固定されて支持体９０を支持する取付体９１と、支持体９０に収納されて照明器具１への給電線９５と天井ＣＢから引き出された電線Ｃとがそれぞれ接続されて給電線９５と電線Ｃと互いに電気的に接続する端子台９５ａとを備える。
【００２４】
取付体９１は、上下に扁平であって下方から見て左右に長い長方形状の固定部９１ｄと、下方から見て固定部９１ｄの全周から下方へ突設された周壁部９１ｅとを有する。下方から見て固定部９１ｄの中央には、電線Ｃが挿通される電線挿通穴９１ａが上下に貫設されている。また、固定部９１ｄの左右両端部には、それぞれ取付体９１を天井ＣＢのねじ穴Ｈにねじ止め固定するための固定ねじ９２が挿通される固定ねじ挿通穴９１ｂが上下に貫設されている。さらに、固定部９１ｄにおいて各固定ねじ挿通穴９１ｂと電線挿通穴９１ａとの間には、それぞれ下方に膨出した膨出部９１ｃが設けられており、各膨出部９１ｃには、それぞれ例えば膨出部９１ｃに上下に貫設された貫通穴に上側からボルトを挿通することにより、ねじ山を有する挿通部９３が下方に垂設されている。
【００２５】
支持体９０の開口は、上方から見て取付体９１よりも僅かに大きい寸法形状となっており、支持体９０と取付体９１とを互いに結合させる際には支持体９０を取付体９１に被せることにより、支持体９０は取付体９１に対して位置決めされる。
【００２６】
また、支持体９０の底面には、取付体９１の挿通部９３が挿通される挿通穴９０ａが上下に貫設されており、支持体９０は、挿通穴９０ａに挿通された挿通部９３が、袋ねじ９４に螺合することにより取付体９１に対して支持される。さらに、支持体９０の底面には、給電線９５が挿通される給電線挿通穴９０ｂが上下に貫設されている。また、支持体９０の底面の左右両端部には、それぞれ例えばワイヤからなり一端が器具本体２に連結された吊り線９６が挿通される吊り線挿通穴９０ｃが上下に貫設されており、内部において吊り線９６に抜け止めが設けられることにより、吊り線９６を介して器具本体２を吊下げ支持する。
【００２７】
ここで、取付体９１の周壁部９１ｅにおいて後側の部位には、それぞれ係止穴９１ｇが前後に貫設された係止部９１ｆが下方に突設されている。さらに、取付体９１の周壁部９１ｅにおいて右側の係止部９１ｆに対向する部位には、突出寸法が係止部９１ｆよりも小さい位置決め部９１ｈが下方に突設されている。支持体９０の後側の内面において係止穴９１ｇに対応する位置には係止爪（図示せず）が前方へ突設されている。取付体９１に支持体９０を装着する際には、係止爪を係止穴９１ｇに係入させることによって支持体９０を取付体９１に仮支持させ、次に支持体９０の後側の壁を位置決め部９１ｈの後側まで持ち上げることにより支持体９０を取付体９１に対して位置決めすれば、そのまま支持体９０を上方に持ち上げることによって挿通部９３を挿通穴９０ａに導入することができる。
【００２８】
器具本体２は、吊り線９６を介して支持体９０に支持されるベース５と、ベース５の下側に取り付けられた反射板６とを備える。反射板６の下面は例えば白色に塗装されることにより、ランプＬの光を配光するようになっている。
【００２９】
反射板６は、左右に長く、左右方向に直交する断面での断面形状が全体として上向きに凸の円弧形状となっている。また、反射板６の前後方向の中央部には、下方に膨出してベース５との間に隙間を構成する膨出部６ａが設けられている。
【００３０】
各ソケット７は、ランプＬの口金Ｌ１に対向する面同士を対向させる形で、反射板６の膨出部６ａの左右の一端ずつにそれぞれ取り付けられている。ソケット７は周知の技術で実現可能であるので、詳細な図示並びに説明は省略する。
【００３１】
また、器具本体２には、例えば周知の電子安定器からなり電線Ｃと給電線９５とを介して電源を供給され接続線７０を介してソケット７に電気的に接続されてランプＬを点灯させる点灯装置（図示せず）が保持されている。接続線７０は反射板６の膨出部６ａとベース５との間の隙間に通されており、反射板６の膨出部６ａの左右両端部にはそれぞれ接続線７を引き出すための引き出し穴６ｂが上下に貫設されている。点灯装置は具体的には例えば反射板６の膨出部６ａとベース５との間の隙間に収納される。
【００３２】
さらに、器具本体２は、それぞれ反射板６に固定されるとともに１個ずつのソケット７を保持する２個の取付具８を備える。各取付具８は、それぞれ例えば金属板に打ち抜き加工と曲げ加工とを施すことによって形成されたものであって、図３，図４及び図５（ａ）（ｂ）に示すように、厚さ方向を左右方向に向けて左右方向の内側の面にソケット７がねじ止め等によって固定されたソケット取付片８０と、ソケット取付片８０の上端から左右方向の内向きの突設され反射板６に固定される第１固定片８１と、ソケット取付片８０の下端から左右方向の外向きに突設された連結片８４と、連結片８４の先端から上方に突設されてランプカバー３の取り付けに用いられるランプカバー取付片８２と、ランプカバー取付片８２の上端から左右方向の外向きに突設されて反射板６に固定される第２固定片８３と有する。
【００３３】
第１固定片８１は、図５（ａ）に示すように、上方への切り起こしによって形成され反射板６の引き出し穴６ｂに係止される係止片８１ａと、係止片８１ａの切り起こしとともに形成され反射板６の引き出し穴６ｂに連通して接続線７０が挿通される接続線挿通穴（図示せず）とを有する。また、第２固定片８３には、反射板６の膨出部６ａに設けられたねじ穴６ｃに連通して反射板６へのねじ止め用の取付ねじＳ１が挿通されるねじ挿通穴８３ａが上下に貫設されている。すなわち、取付具８は、係止片８１ａが引き出し穴６ｂの縁部に係止された状態で、ねじ挿通穴８３ａに下方から挿通された取付ねじＳ１が反射板６のねじ穴６ｃに螺合することにより、反射板６に固定される。
【００３４】
ランプカバー３は、例えば金属のような不透明な材料からなり、左右方向に直交する断面での断面形状が下向きに凸の円弧形状のランプカバー本体３３と、ランプカバー本体３３の左右両端部のそれぞれ上側に取り付けられた固定具３０とを備える。ランプカバー本体３３は、下方から見てランプＬを覆う形状となっている。つまり、本実施形態では、下方へのランプＬの直射光がランプカバー３によって遮られ、反射板６の下面で反射した（配光された）反射光が主に下方に照射される。
【００３５】
各固定具３０は、それぞれ、ランプカバー本体３３に螺合する取付ねじＳ３によりランプカバー本体３３にねじ止めされる固定部３１と、固定部３１の左右方向の外側の端部から上方に突設され被支持穴３２ａが左右に貫設された被支持部３２とを有する。各取付具８のランプカバー取付片８２には、それぞれ支持ねじＳ２の先部が左右方向の外側から螺合しており、各固定具３０の被支持穴３２ａにそれぞれ支持ねじＳ２が挿通されることにより、ランプカバー３は器具本体２に対して支持される。つまり、支持ねじＳ２が請求項におけるカバー支持凸部を構成する。
【００３６】
ここで、各固定具３０の被支持穴３２ａは、それぞれ、上端部において支持ねじＳ２の脚部を挿通可能且つ支持ねじＳ２の頭部を挿通不可能であり、下端部において支持ねじＳ２の頭部を挿通可能な寸法形状である、いわゆるだるま穴となっている。つまり、図３に矢印Ａ１で示すように各被支持穴３２ａにそれぞれ支持ねじＳ２を挿通した状態では、ランプカバー３は、図４に示すように左右方向の外側に支持ねじＳ２の頭部が位置する（つまり、支持ねじＳ２の頭部間に各被支持部３２がそれぞれ挟まれる）ことで被支持穴３２ａから支持ねじＳ２を抜くような左右方向への変位が禁止される支持位置と、図４に矢印Ｍ２で示すように支持位置から器具本体２に対して上方に変位した位置であって支持ねじＳ２の頭部を被支持穴３２ａに挿通可能な着脱位置との間で、器具本体２に対して上下に変位可能となっている。すなわち、支持ねじＳ２の頭部が請求項における抜け止め部である。
【００３７】
上記の支持位置ではソケット７や取付具８が左右方向の外側に露出するので、本実施形態は、見栄えを改善するためにソケット７に対し左右方向の外側において器具本体２に取り付けられたエンドキャップ４を備える。
【００３８】
詳しく説明すると、各エンドキャップ４は、それぞれ、図６に示すように、台形状の下端が下向きに凸の円弧形状となった全体として略扇形状の本体部４１と、本体部４１の上端から左右方向の内向きに突設され係合穴４１ｂが上下に貫設された係合部４１ａと、本体部４１の前後両端からそれぞれ左右方向の内向きに突設された被支持部４０とを有する。
【００３９】
また、各取付具８において、ランプカバー取付片８２の上端部の左右両端には、それぞれエンドキャップ４を支持するためのキャップ支持凸部８２ａが左右に突設されるとともに、第１固定片８１の左右方向の内側の端には、ランプＬを避けた逆Ｕ字形状の第１支持片８５が下方へ突設され、第２固定片８２の左右方向の外側の端には、下端に向かって前後の寸法が大きくなる台形状の第２支持片８６が下方へ突設されている。キャップ支持凸部８２ａの前後方向の外側の縁と、各支持片８５，８６の前後両端縁とは、それぞれ前後方向の外側に向かって下方へ傾斜している。
【００４０】
さらに、反射板６において下方から見て第２固定片８２よりも左右方向の外側にはばね挿通穴６ｄが上下に貫設されるとともに、反射板６の上側には、ばね挿通穴６ｄを通じて反射板６の下面よりも下方へ弾性的に突出する係入部６１を有するばね片６０が固着されている。係入部６１は前方から見て三角形状に膨出させるように曲げ加工を施すことによって形成されており、左右方向の中央部から左右両端に向かってそれぞれ上方へ傾斜している。
【００４１】
各被支持部４０と、キャップ支持凸部８２ａの前後方向の外側の縁と、各支持片８５，８６の前後両端縁とは、それぞれ前後方向の外側に向かって下方へ同程度の角度で傾斜している。
【００４２】
エンドキャップ４を器具本体２に取り付けるには、各被支持片４０をそれぞれ第２支持片８６の前後の端部の上側を通じてキャップ支持凸部８２ａの上側へ差し入れるようにして、エンドキャップ４を器具本体２に対して図７に矢印Ｍ３で示すように左右方向の内側へスライドさせる。やがて、各被支持片４０の先端がそれぞれ第１支持片８５の上側に至ると、係合穴４１ｂに係入部６１が係入することにより、エンドキャップ４は器具本体２に保持される。この状態（以下、「取付状態」と呼ぶ。）では、各支持片４０がそれぞれキャップ支持凸部８２ａと各支持片８５，８６とに載置されることにより、エンドキャップ４は器具本体２に対して支持される。つまり、キャップ支持凸部８２ａと各支持片８５，８６とがそれぞれ請求項におけるキャップ支持部である。また、取付状態では、図１（ａ）に示すように前後方向の外側から見てランプＬの口金Ｌ１やソケット７がそれぞれ被支持片４０によって覆われるとともに、図１（ｂ）に示すように左右方向の外側から見てソケット７やランプカバー３の固定具３０や取付具８がそれぞれエンドキャップ４の本体部４１によって覆われることにより、見栄えが改善される。
【００４３】
ここで、係入部６１の左右両面がそれぞれ係入部６１の左右方向の中央に向かって下方に傾斜していることにより、エンドキャップ４の着脱時にはエンドキャップ４を器具本体２に対して左右にスライドさせるだけで係合穴４１ａの開口縁が係入部６１上を摺動して係入部６１を弾性変形させるから、容易に係入部６１を係合穴４１ｂに係脱させることができる。
【００４４】
また、エンドキャップ４の本体部４１の寸法形状は、支持位置にあるランプカバー３のランプカバー本体３３と反射板６の膨出部６ａの下面との間の隙間の寸法形状よりも僅かに小さくなっている。従って、取付状態では、ランプカバー３の上方への変位がエンドキャップ４の本体部４１によって制限され、ランプカバー３を着脱位置に変位させることができないことによりランプカバー３の脱落が防止されている。また、ランプカバー３が着脱位置にあるときには、ランプカバー３のランプカバー本体３３と反射板６の膨出部６ａの下面との間の隙間に、エンドキャップ４の本体部４１を挿入することができないから、エンドキャップ４を取り付けようとした作業者はランプカバー３が着脱位置にあることに気付くことができる。
【００４５】
また、各エンドキャップ４の本体部４１はそれぞれ下方へ向かって左右方向の内側へ傾斜しており、２個のエンドキャップ４の本体部４１の下端部同士の間隔は、ランプカバー３の被支持部３２の間隔よりも小さくなっている。すなわち、本実施形態ではエンドキャップ４はランプカバー３よりも後に器具本体２に取り付けられるものであるが、誤って図８に示すようにエンドキャップ４を器具本体２に取り付けた後にランプカバー３を取り付けようとした場合には、ランプカバー３の被支持部３２がエンドキャップ４の本体部４１の下端に当ってしまうことにより被支持穴３２ａに支持ねじＳ２を導入することができないから、作業者は誤りに気付くことができる。つまり、エンドキャップ４の本体部４１が請求項における阻止部である。すなわち、ランプカバー３は必ずエンドキャップ４よりも先に器具本体２に取り付けられることになり、上記のようにランプカバー３が着脱位置にあることを気付かせる効果を確実に得ることができる。
【００４６】
上記構成によれば、器具本体２に対するランプカバー３の変位がエンドキャップ４により制限されるから、器具本体２に対するランプカバー３のがたつきが抑制される。
【００４７】
なお、エンドキャップ４を、各被支持片４０がそれぞれ第２支持片８６やキャップ支持凸部８２ａに支持されていても係合穴４１ｂに係入部６１が係入していない状態では下方から見てランプカバー３から突出する寸法形状としてもよい。例えば、図９（ａ）に示すように、取付状態でのエンドキャップ４の本体部４１の下端とランプカバー３の左右の近い側（図では右側）の端部との距離よりも僅かに小さい程度の突出寸法の表示部４２を、本体部４１の下端から右方に突設する。つまり、表示部４２は、取付状態では下方から見てランプカバー３に覆われ、図９（ｂ）に示すように器具本体２に支持されていても取付状態に至っていない状態では下方から見てランプカバー３から左右の一方側に突出する。この構成を採用すれば、作業者は表示部４２を下方から見てエンドキャップ４の取付が不完全であることを知ることができる。
【図面の簡単な説明】
【００４８】
【図１】（ａ）（ｂ）はそれぞれ本発明の実施形態を示し、（ａ）は要部を示す正面図、（ｂ）は要部を示す右側面図である。
【図２】同上を示す分解斜視図である。
【図３】同上においてランプカバーを取り外した状態の要部を示す斜視図である。
【図４】同上においてランプカバーを取り付けた状態の要部を示す斜視図である。
【図５】（ａ）は同上の要部を示す一部破断した正面図であり、（ｂ）は同上において器具本体にエンドキャップを取り付けた状態の要部を示す一部破断した左側面図である。
【図６】同上のエンドキャップを示す斜視図である。
【図７】同上においてエンドキャップを取り付ける方法を示す説明図である。
【図８】同上においてエンドキャップを取り付けた器具本体とランプカバーとの要部を示す一部破断した正面図である。
【図９】（ａ）（ｂ）はそれぞれ同上の別の形態の要部を示す一部破断した正面図であり、（ａ）はエンドキャップの取り付けが完了した状態を示し、（ｂ）はエンドキャップの取り付けが不完全な状態を示す。
【符号の説明】
【００４９】
１  照明器具
２  器具本体
３  ランプカバー
４  エンドキャップ
７  ソケット
３２  被支持部
３２ａ  被支持穴
４０  被支持片
８２ａ  キャップ支持凸部
８５  第１支持片
８６  第２支持片
Ｌ  ランプ
Ｌ１  口金
Ｓ２  支持ねじ
【図１】
2008269993.tif 000003
【図２】
2008269993.tif 000004
【図３】
2008269993.tif 000005
【図４】
2008269993.tif 000006
【図５】
2008269993.tif 000007
【図６】
2008269993.tif 000008
【図７】
2008269993.tif 000009
【図８】
2008269993.tif 000010
【図９】
2008269993.tif 000011